(57)【要約】  器具であって、その場合にモジュールが、器具のハウジングを形成する凹部内へ挿入可能であって、その場合にエネルギおよび／またはデータが非接触で伝達可能である。【選択図】図１
2009514281.tif 000002
【特許請求の範囲】
【請求項１】
器具において、
モジュールが、器具のハウジングを形成する凹部内へ挿入可能であって、その場合にエネルギおよび／またはデータが非接触で伝達可能であることを特徴とする器具。
【請求項２】
器具が、トランスバータ、ソフトスタート装置または駆動装置であることを特徴とする請求項１に記載の器具。
【請求項３】
駆動装置が、少なくとも１つの電動機と、トランスバータのような、給電する電子回路またはソフトスタートエレクトロニクスなどを有していることを特徴とする請求項１または２の少なくとも１項に記載の器具。
【請求項４】
駆動装置が、電動機によって駆動可能な、伝導機構を有していることを特徴とする請求項１から３の少なくとも１項に記載の器具。
【請求項５】
モジュールが、入力手段および／または表示手段および／または差込みコネクタインターフェイスを有していることを特徴とする請求項１から４の少なくとも１項に記載の器具。
【請求項６】
器具は、モジュールが該当する機械的インターフェイスおよび電磁的な、非接触の、特に誘導性のインターフェイスと選択的に接続可能であるように、機械的な、特に相補形状のインターフェイスと電磁的な、非接触の、特に誘導性のインターフェイスとを有していることを特徴とする請求項１から５の少なくとも１項に記載の器具。
【請求項７】
凹部が、外部の周囲へ向かってプラスチック表面を有していることを特徴とする請求項１から６の少なくとも１項に記載の器具。
【請求項８】
モジュールが、このモジュールと電気的に接続可能な他の器具のために２４ボルト供給源を有しており、その場合に２４ボルト供給源のためのエネルギが、器具内部のコイルからモジュールへ誘導的に伝達されることを特徴とする請求項１から７の少なくとも１項に記載の器具。
【請求項９】
器具が、網供給線に接続されており、前記網供給線上で器具と他の器具との間でデータを交換するためのデータも、より高い周波数に変調されていることを特徴とする請求項１から８の少なくとも１項に記載の器具。
【請求項１０】
器具が、非接触で、特に誘導的に一次導体から、給電されており、前記一次導体へ中周波数の、特に２０と１００ｋＨｚの間の周波数を有する電流が給電されており、その場合に一次導体上で、器具と他の器具との間でデータ交換するためのデータも、一次導体内の電流の中周波数よりも高い周波数に変調されていることを特徴とする請求項１から９の少なくとも１項に記載の器具。
【請求項１１】
駆動装置が、電動機と場合によっては伝導機構を有する、第１のハウジング領域と、第２のハウジング領域を介してのみ第１のハウジング領域と結合されている、第３のハウジング領域とを有していることを特徴とする請求項１から１０の少なくとも１項に記載の器具。
【請求項１２】
第２のハウジング領域が、電動機の供給導線のための接続装置および、第３３のハウジング部分と電気的に差込み接続するための差込みコネクタユニットを有していることを特徴とする請求項１から１１の少なくとも１項に記載の器具。
【請求項１３】
ハウジング部分が、それぞれ密閉されて、高い保護種類で結合されていることを特徴とする請求項１から１２の少なくとも１項に記載の器具。
【発明の詳細な説明】
【技術分野】
【０００１】
本発明は、器具に関する。
【背景技術】
【０００２】
器具として、たとえばトランスバータまたは駆動装置が知られている。
【発明の開示】
【発明が解決しようとする課題】
【０００３】
従って、本発明の課題は、器具を使用することのできる適用の高度な可変性を、できるだけ少ない構成部品で提供することである。
【課題を解決するための手段】
【０００４】
本発明によれば、この課題は、請求項１に記載された特徴に基づく器具によって解決される。
【発明の効果】
【０００５】
器具における発明の本質的な特徴は、器具のハウジングを形成する凹部内にモジュールを挿入することができ、その場合にエネルギおよび／またはデータが非接触で伝達できることである。従って器具は、その凹部において高い保護種類で形成されており、それにもかかわらずエネルギとデータをモジュールへ伝達することができる。モジュールは、データを送り返すことができる。従って、要求の多い周辺を有する適用においても、モジュールによって器具のパラメータセットが可能である。
【０００６】
好ましい形態において、器具はトランスバータ、ソフトスタート器具または駆動装置である。その場合に、利点は、この種の器具においてパラメータが入力され、従ってその操作器具が接続されることである。その場合に、従来技術によれば、金属の接点が設けられている。しかし本発明においては、非接触の操作可能性を実現することができる。従って本発明は、たとえば液体などがふりかかる、ラフな工業環境内でも使用することができる。この種の器具は、特に拡張されたハードウェアを有するように形成することができるので、器具内にポテンショメータ制御または、ＳＰＳのような、シーケンス制御が内蔵されている。ここでも、ソフトウェアが操作され、従って非接触のみで接続可能な操作インターフェイスが必要である。さらに、本発明においては、差込みコネクタ接点が消耗されることがなく、他の摩耗も生じない。
【０００７】
好ましい形態において、駆動装置は、少なくとも１つの電動機と、トランスバータまたはソフト始動エレクトロニクスなどのような、給電する電子回路を有している。特に、駆動装置は、電動機によって駆動可能な、伝導機構を有している。その場合の利点は、駆動装置をコンパクト駆動装置として形成できることである。
【０００８】
好ましい形態において、モジュールは、入力手段および／または表示手段および／または差込みコネクタインターフェイスである。その場合の利点は、選択的に任意に交換可能なモジュールを使用できることである。従って、各機能または適用に合ったモジュールを使用することができる。
【０００９】
好ましい形態において、器具は、モジュールが対応する機械的なインターフェイスおよび電磁的な、非接触の、特に誘導性のインターフェイスと選択的に接続可能であるように、機械的な、特に力結合または摩擦結合のインターフェイスと、電磁的な、非接触の、特に誘導性のインターフェイスとを有している。その場合の利点は、モジュールが機械的に保持されており、たとえばクリップ結合可能であって、電気的インターフェイスが誘導性または光学的なインターフェイスに代わっていることである。従って展開においては、赤外点インターフェイスも形成することができる。
【００１０】
好ましい形態において、凹部は、外側の周囲に対してプラスチック表面を有している。その場合の利点は、器具およびモジュールの電圧を案内する部分の間に絶縁強度が設けられていることである。この電気的分離は、安全技術的な利点であって、従って器具の安全性を高める。
【００１１】
好ましい形態において、モジュールは、モジュールと電気的に接続可能な他の器具のための２４ボルト供給源を有しており、その場合に２４ボルト供給源のためのエネルギは、器具の内部のコイルからモジュールへ誘導的に伝達される。その場合の利点は、モジュールが、非接触の給電にもかかわらず、フィールドバスのような、データバスあるいは他の器具のための給電を準備できることである。
【００１２】
好ましい形態において、器具は網供給線に接続されており、その網供給線上で器具と他の器具との間でデータ交換するためのデータも、より高い周波数に変調されている。その場合の利点は、データ伝送のために導線が不要であって、すでに存在している導線を利用できることである。
【００１３】
好ましい形態において、器具は、非接触で、特に誘導的に一次導体から給電されており、その一次導体へ、特に２０と１００ｋＨｚの間の周波数を有する、中周波数の電流が供給されており、その場合に一次導体上で、器具と他の器具との間でデータ交換するためのデータも、一次導体内の電流の中周波数よりも高い周波数に変調されている。その場合の利点は、この種のシステムにおいて、データがエネルギと共に電気的に分離されて、非接触で伝達可能なことである。特に好ましくは、器具を分離するために、器具の該当する二次部分から一次導体を機械的に離すだけで十分である。一次導体電流は、妨げられずにさらに流れることができ、遮断する必要はない。
【００１４】
好ましい形態において、駆動装置は、電動機と場合によっては伝導機構を有する、第１のハウジング領域と第３のハウジング領域とを有しており、この第３のハウジング領域は第１のハウジング領域とは第２のハウジング領域を介してのみ結合されている。その場合の利点は、第２のハウジング領域に第３の領域への接続装置と引渡し差込みコネクタおよび外部への電気的な接続装置を形成できることである。従って、敏感で保守に手間のかかるエレクトロニクスを有する、第３のハウジング領域と、好ましくは半導体のない、がんじょうな接続技術を有する、第２のハウジング部分との間に電気的インターフェイスが形成される。
【００１５】
好ましい形態において、第２のハウジング領域は、電動機の供給導線のための接続装置および第３のハウジング部分と電気的に差込み接続するための差込みコネクタユニットを有している。その場合の利点は、第３のハウジング部分が簡単かつ迅速に接続可能かつ交換可能であって、第２の部分は作業中心の配線などを有することである。
【００１６】
好ましい形態において、ハウジング部分は、それぞれ密閉され、かつ高い保護種類で結合されている。その場合の利点は、器具が、ラフな環境で使用できることである。
【００１７】
他の利点は、下位請求項から明らかにされる。
【発明を実施するための最良の形態】
【００１８】
図を用いて、本発明を詳細に説明する。
【００１９】
図１には、本発明に基づく装置がシンボルで示されている。
【００２０】
駆動装置は、ハウジング部分１、２から構成される、ハウジングを有している。ハウジング部分２は、電気機械的領域、従って電動機と伝導機構を包囲しており、その伝導機構の従動軸３がハウジングから突出している。ハウジング部分２は、駆動エレクトロニクスまたはトランスバータエレクトロニクスと制御エレクトロニクスなどのような、電子的領域を包囲している。
【００２１】
重要なことは、ハウジング部分１が凹部４を有していることであって、その凹部は高度な種類の保護で形成されており、周囲に対して電気的接触を持たない。その場合に重要なことは、凹部が、駆動装置のハウジングを形成する表面となっており、従って密閉して形成されていることである。好ましくは、凹部は、ハウジングポケットとして形成されている。
【００２２】
凹部４内へ、モジュール６を導入することができ、そのモジュールは、それぞれ仕様に応じて入力手段および／または表示手段５および／または電気的な差込みコネクタ部分７を有している。
【００２３】
従って、モジュール６として、ポテンショメータ、ダイヤル、キーおよび／またはスイッチを有するモジュールを形成することができる。これらの入力手段によって、駆動装置のパラメータが調節可能である。
【００２４】
代替的に、他の入力手段を有するモジュール６を使用することができる。
【００２５】
さらに、発光手段のような表示手段および／またはラウドスピーカー、サイレンなどのような音響手段を有するモジュールも、代替的に挿入することができる。
【００２６】
さらに、他の駆動装置またはトランスバータまたは工業機器のような、フィールドバス加入者を接続するための差込みコネクタを有するモジュールも、挿入することができる。このように、あるいは他のように形成された差込みコネクタに、駆動装置を駆動開始またはパラメータセットするために計算機を接続することもできる。
【００２７】
また、重要なことは、モジュールがそれぞれ実施種類に応じてアクターまたはセンサを接続するための差込みコネクタを有することである。
【００２８】
モジュールの１つは、赤外線インターフェイスおよび／またはブルートゥースなどのような無線波インターフェイスを有している。
【００２９】
ハウジングポケットによって、駆動装置は、いわば閉成されて、形成されている。駆動装置からモジュール６へのエネルギ供給およびデータ交換は、凹部表面を通して非接触で行われる。
【００３０】
好ましくは、凹部４の表面は、プラスチックから形成されている。従って表面の後方の内部にコイルを設けることができ、そのコイルがモジュール６の内部のコイルと誘導結合される。もちろん、結合は、トランスにおけるよりも弱く形成されている。
【００３１】
従って、結合が非常に弱い場合には、モジュール６の内部のコイルは、共振周波数が駆動装置の内部にあるコイルに供給される周波数に実質的に等しいように寸法設計された、直列または並列に接続されたコンデンサと共振して駆動される。それによって高い効率を達成することができる。
【００３２】
従って、モジュール６の１つは、他の接続された電子コンポーネントの２４ボルト供給も保証できるように、形成することができる。
【００３３】
本発明に基づく他の実施形態において、駆動装置の代わりに、トランスバータに上述した凹部４を形成することができ、従って同様に本発明に基づく利点が得られる。
【００３４】
本発明において重要なことは、駆動装置またはトランスバータの凹部とその内部の上述したコイルによって、機械的なインターフェイスと誘導的なインターフェイスも形成され、それに様々なモジュールが接続できることである。その場合に、それぞれ適用、従って駆動装置またはトランスバータのアプリケーションに従って、種々のモジュールを接続することができる。
【００３５】
特に、モジュールは、機能に応じて交換可能である：たとえば、保守または駆動開始あるいはパラメータセットが異なるようになされた場合に、ラップトップへのデータ交換接続を形成するために、差込みコネクタまたは非接触のインターフェイスを有するモジュールが使用される。保守または駆動開始あるいは異なるようになされたパラメータセットが終了した場合に、モジュールは、ダイヤル、たとえばポテンショメータと接続されたダイヤル、あるいはパラメータを調節する制限された可能性を有する他の入力手段、のみを有するモジュールと交換される。代替的に、表示手段のみ、あるいは入力可能性を制限するための入力手段と組み合わせた表示手段を有するモジュールが使用される。
【００３６】
本発明に基づく他の実施例においては、駆動装置またはトランスバータは、その供給網を介してのみ給電される。他の器機へのデータ交換は、網供給線上でデータをより高い高周波に変調することを介して行われる。
【００３７】
図２には、他の変形例が図示されており、この変形例において凹部４を有するハウジング部分２０は、もちろんハウジング部分２１のみを介して、駆動モータを有するハウジング部分２と結合されている。従って、伝導機構およびモータの軸受は、共通のハウジング部分を使用することができ、製造誤差を改善することができる。というのは、軸受箇所の切削加工は、１回の挟持で行われるからである。ハウジング部分２１内で、電動機の導線、場合によっては付属するブレーキの導線および／または電動機または伝導機構と接続された、角度位置検出器のようなセンサの導線が、差込みコネクタ部分を有する接続装置において、差込みコネクタを用いて取り付けることができる、密閉かつ高い保護種類で結合されたハウジング部分２０へ引き渡される。このハウジング部分は、パワーエレクトロニクスと信号エレクトロニクスを有している。その場合にパワーエレクトロニクスの熱は、ハウジング部分２０を通して周囲へ放出される。従って熱源であるパワーエレクトロニクスとモータおよび伝導機構の良好な隔離が実現されており、相互の影響はわずかしか生じない。
【００３８】
展開において、ハウジング部分２１は、熱バリアを有することができ、あるいはそれ自体、プラスチックのように、熱を伝えにくい材料から形成することができる。
【００３９】
従ってハウジング２０内において、パワー半導体を有する導体プレートが直接ハウジング部分２０の内側に配置されている。信号エレクトロニクスは、それから離れて、特に並列に配置された導体プレート上に、配置されている。展開において、パワーエレクトロニクスと信号エレクトロニクスの間に熱バリアを設けることもできる。
【図面の簡単な説明】
【００４０】
【図１】本発明に基づく装置を、シンボルで示している。
【図２】他の変形例を示している。
【符号の説明】
【００４１】
１  ハウジング部分
２  ハウジング部分
３  軸
４  凹部
５  入力手段および／または表示手段
６  モジュール
７  電気的差込みコネクタ部分
２０  ハウジング部分
２１  ハウジング部分
【図１】
2009514281.tif 000003
【図２】
2009514281.tif 000004
【国際調査報告】
2009514281.tif 000005
2009514281.tif 000006
2009514281.tif 000007
2009514281.tif 000008
2009514281.tif 000009
2009514281.tif 000010
2009514281.tif 000011
2009514281.tif 000012
2009514281.tif 000013
2009514281.tif 000014